(57)【要約】  調節可能な長さを有する第１のアーム部分と、第１の清掃部分と、第１の清掃部分を支持する第２のアーム部分と、第１のアーム部分と第２のアーム部分との間に位置する回転する調節可能な部分と、を含み、第１のアーム部分が第２のアーム部分の周りを所定の範囲で回転可能である、清掃装置が開示される。【選択図】図２
2013538645.tif 000002
【特許請求の範囲】
【請求項１】
清掃装置であって、
調節可能な長さを有する第１のアーム部分と、
第１の清掃部分と、
前記第１の清掃部分を支持する第２のアーム部分と、
前記第１のアーム部分と前記第２のアーム部分との間に位置し、前記第１のアーム部分が前記第２のアーム部分の周りを所定の範囲で回転するのを可能にする、回転する調節可能な部分と、を含む、清掃装置。
【請求項２】
前記第２のアーム部分に接続された第２の清掃部分を更に含む、請求項１に記載の清掃装置。
【請求項３】
前記第２のアーム部分が、可撓性材料から作製される、請求項１又は２に記載の清掃装置。
【請求項４】
前記第２のアーム部分が「Ｖ」型の形状をとり、前記第２の清掃部分が、前記Ｖ型の第２のアーム部分のアーム間に取り付けられる、請求項１又は２に記載の清掃装置。
【請求項５】
前記回転する調節可能な部分がボタンを有し、前記ボタンを押すと、前記第１のアーム部分が前記第２のアーム部分の周りを回転する、請求項１又は２に記載の清掃装置。
【請求項６】
フックが、前記第２の清掃部分の表面に沿って配置され、前記フックが、清掃布を取り付けるために使用される、請求項２に記載の清掃装置。
【請求項７】
前記所定の範囲が０〜１８０°である、請求項１に記載の清掃装置。
【請求項８】
泡洗浄剤を収容するボトルが、前記第１のアーム部分に取り付けられた、請求項１に記載の清掃装置。
【発明の詳細な説明】
【技術分野】
【０００１】
ここで開示される清掃装置は、第２のアーム部分から枢動可能に分離している第１のアーム部分を含み、これは第１の清掃部分を支持する。
【背景技術】
【０００２】
窓ガラスを清掃することは、特に、ガラスの洗浄が困難であるだけではなく危険である高層ビルにおいては、労力及び時間を費やす作業であるため、専門的職員のサービスを必要とする。
【０００３】
多くの清掃装置が先行技術において提供されており、その例として、米国特許第３，７６９，６５１号に開示されている窓清掃装置は、ハンドルが１つの端部に取り付けられかつ外側の窓の清掃に使用される清掃ヘッドが他方に取り付けられた、Ｕ型のホルダーを含む。しかしながら、米国特許第３，７６９，６５１号に開示されている清掃装置は、上階の窓を効果的に清掃することができない。米国特許第５，００７，７５３号は、窓の表面に使用されると、どのような位置にも回転できる清掃ヘッドを有する窓清掃器具を開示しているが、ハンドルの角度は調節できない。結果として、その器具は、外窓を清掃するよう構成されていない。
【発明の概要】
【発明が解決しようとする課題】
【０００４】
先行技術における既存の問題を克服するために、本開示は、外側の窓を清掃するように、また更には異なる高さにある外側の窓を清掃するように構成された清掃装置を提供する。その上、この清掃装置の清掃部分は、ガラスの表面との完全な接触を実現し、清掃効率が高まる。
【課題を解決するための手段】
【０００５】
一実施形態では、清掃装置は、調節可能な長さを有する第１のアーム部分と、第１の清掃部分と、第１の清掃部分を支持する第２のアーム部分と、第１のアーム部分と第２のアーム部分との間に位置する回転する調節可能な部分と、を含み、第１のアーム部分は、第２のアーム部分の周りを所定の範囲で回転可能である。
【０００６】
一実施形態では、清掃装置は、第２の清掃部分を更に含み、この第２の清掃部分は、取り外し可能に第２のアーム部分に取り付けられるように構成される。一実施形態では、第２のアーム部分は、可撓性材料から作製される。一実施形態では、第２のアーム部分は「Ｖ」型の形状をとり、第２の清掃部分は、Ｖ型の第２のアーム部分のアーム間に取り付けられる。一実施形態では、回転する調節可能な部分はボタンを有し、このボタンを押すと、第１のアーム部分は第２のアーム部分の周りを回転する。一実施形態では、フックが、第２の清掃部分の表面に沿って配置され、このフックは、清掃布を取り付けるために使用される。一実施形態では、第２の清浄部分は、独立して使用することができるか、又は第１の清浄部分と組み合わせて使用してもよい。一実施形態では、所定の範囲は、０〜１８０°である。一実施形態では、清浄装置は、前記第１のアーム部分に取り付けられた、泡洗浄剤を収容するボトルを更に含む。
【図面の簡単な説明】
【０００７】
【図１】清掃装置の一実施形態の正面概略図。
【図２】図１の清掃装置の側面概略図。
【図３】所定の角度の第１のアーム部分の回転の概略図。
【図４】第１の清掃部分及び第２の清掃部分の部分拡大図。
【図５】回転する調節可能な部分の概略図。
【図６】回転する調節可能な部分の断面図。
【図７】回転する調節可能な部分の断面図。
【図８】回転する調節可能な部分の構成部品の概略図。
【図９】回転する調節可能な部分の構成部品の概略図。
【図１０】回転する調節可能な部分の構成部品の概略図。
【図１１】回転する調節可能な部分の構成部品の概略図。  上記の図面は、本発明の実施形態を表しているが、説明において述べるように、他の実施形態も企図される。いずれの場合でも、本開示は、限定する目的ではなく、説明する目的で本発明を提示している。本発明の範囲及び趣旨の中で、多くの他の修正及び実施形態が、当業者によって考案され得ることを理解されたい。図は、縮尺どおりに描かれていない場合もある。
【発明を実施するための形態】
【０００８】
本開示の清掃装置は、調節可能な長さを有する第１のアーム部分４と、ガラスの表面を清掃するように構成された第１の清掃部分５と、第１の清掃部分５に支持を提供する第２のアーム部分１と、第１のアーム部分４と第２のアーム部分１との間に位置する回転する調節可能な部分３と、を含み、第１のアーム部分４は、回転する調節可能な部分３によって、第２のアーム部分１の周りを所定の範囲で回転可能である。一実施形態では、所定の範囲は、０〜１８０°である。
【０００９】
第１の清掃部分５に取り付けられた清掃材料は、清掃、及び更には液体の吸収に使用することができる。清掃作業中、清掃材料は、汚れたら取り外し、洗浄して、その後第１の清掃部分５に再び取り付けることができる。
【００１０】
図３に示されるように、第１のアーム部分４は、第２のアーム部分１の周りを所定の角度に回転する。その結果、清掃装置は建物の外に伸びて、外側の窓のガラスを清掃することができる。加えて、第１のアーム部分４の伸縮式ロッドを使用して第１のアーム部分の長さを調節することができ、その結果、異なる高さにある外側の窓のガラスを清掃することができる。
【００１１】
図１に示されるように、第２のアーム部分は、「Ｖ」型の形状をとり、可撓性の材料から作製されることができるが、この可撓性の材料は、ゴム、熱可塑性エラストマー、又はその他の弾力性材料である。清掃作業中、第２のアーム部分１の可撓性により、第１の清掃部分５とガラスの表面との間の完全な接触が可能となるため、労力が減り、清掃作業の効率が高まる。
【００１２】
一実施形態では、清掃装置は、第２のアーム部分１に取り外し可能に取り付けられている第２の清掃部分２を更に含む。本実施形態では、第２の清掃部分２は、図４に示されるように、第２のアーム部分のアーム間に挿入される。第２の清掃部分２は、第１の清掃部分５と組み合わせて使用されてもよいし、又は独立して使用されることもできる。清掃布を取り付けるために、フックが第２の清掃部分２の表面に沿って配置されてもよい。清掃布は、通常、不織布の布地であるか、又はその他の清掃布であり、その擦る動作が汚れの除去に利用される。
【００１３】
図３に示されるように、回転する調節可能な部分３はボタンを有し、このボタンを押すと、第１のアーム部分４は第２のアーム部分１の周りを所定の範囲で回転する。
【００１４】
一実施形態では、清掃装置は、第１のアーム部分４に取り付けられた、泡洗浄剤を収容するボトルを更に含む。
【００１５】
図示されている回転する調節可能な部分３は、図５〜１１に示されているように、以下の構成部品からなる：第１のアーム接続部分３１、第２のアーム接続部分３２、ボタン３３、固定部品３４、及びバネ３５。ボタン３３及び固定部品３４は共に固定されており、第１のアーム接続部分３１を第２のアーム接続部分３２に接続する。図６〜７及び１１を参照すると、外力がない状態では、バネ３５の弾力が働いて、固定部品３４の突出部分３４１を第２のアーム接続部分３２の凹部分３２１及び第１のアーム接続部分３１の凹部分３１１に挿入させて、第２のアーム接続部分３２及び第１のアーム接続部分３１を適所に固定し、回転を防止する。ボタン３３を押すと、固定部品３４の突出部分３４１が外側に滑動して、第２のアーム接続部分３２と第１のアーム接続部分３１との間の固定を解除し、それらを自由に回転させる。第２のアーム接続部分３２及び第１のアーム接続部分３１が、０〜１８０°の範囲で３０°の間隔にて固定されることができるように、連続及び対応する凹部分が第２のアーム接続部分３２及び第１のアーム接続部分３１の内側に配置される。別の数の凹部分も配置され得る。更に、固定接続の強度を確保するために、４つの突出部分が、固定部品上に対称的に配置されてもよい。
【００１６】
清掃装置の使用方法：泡洗浄剤を第２の清掃部分２上に移し、第２の清掃部分２を使用してガラスの表面に清掃作業を行い、次いで装置を１８０°回転させ、第１の清掃部分を使用して、水及び屑を除去する。外側の窓を清掃する際、回転する調節可能な部分を調節して第１のアーム部分を第２のアーム部分の周りで所定の角度に回転させ、第１のアーム部分の長さを外側の窓の位置に従って調節してから建物の外の清掃装置を伸ばして、外側の窓を清掃する。
【００１７】
本発明の特定の実施形態が図示され説明されてきたが、当業者は、これらの実施形態が、本実用新案の原理及び趣旨から逸脱することなく修正でき、本発明の範囲が、本書にある特許請求の範囲及びそれらの同等物により規定されることを理解するであろう。
【図１】
2013538645.tif 000003
【図２】
2013538645.tif 000004
【図３】
2013538645.tif 000005
【図４】
2013538645.tif 000006
【図５】
2013538645.tif 000007
【図６】
2013538645.tif 000008
【図７】
2013538645.tif 000009
【図８】
2013538645.tif 000010
【図９】
2013538645.tif 000011
【図１０】
2013538645.tif 000012
【図１１】
2013538645.tif 000013
【国際調査報告】
2013538645.tif 000014
2013538645.tif 000015